(57)【要約】【目的】本発明は、電気ポット等の台所用電気器具が載置された載置棚を前後方向に摺動自在に支持するスライドレールに設けられる収納時保持装置に関するものであり、簡単な構造で生産性に優れ、確実に載置棚の収納状態を維持すると共に、載置棚の収納動作が安全かつ容易に行えるスライドレールの収納時保持装置を提供する事を目的とする。【構成】固定側レールと、固定側レールに摺動自在となした中間レールと、中間レールに摺動自在となした移動側レールと、固定側レールの後端部に設けられた収納時保持部材からなるスライドレールの収納時保持装置において、収納時保持部材は、固定側レールに取付けられた状態で、固定側レールから移動側レール方向に突出する上下の閉塞部と、上下の閉塞部の移動側レール側端部に連設された移動側レールの後端部を保持する上下の収納時保持部と、上下の収納時保持部間に連設された弾性変形部を有するものである。【選択図】  図２
2004147755.tif 000002
【特許請求の範囲】
【請求項１】
固定側レールと、固定側レールに摺動自在となした中間レールと、中間レールに摺動自在となした移動側レールと、固定側レールの後端部に設けられた収納時保持部材からなるスライドレールの収納時保持装置において、収納時保持部材は、固定側レールに取付けられた状態で、固定側レールから移動側レール方向に突出する上下の閉塞部と、上下の閉塞部の移動側レール側端部に連設された移動側レールの後端部を保持する上下の収納時保持部と、上下の収納時保持部間に連設された弾性変形部を有することを特徴とするスライドレールの収納時保持装置。
【請求項２】
固定側レールと、固定側レールに摺動自在となした中間レールと、中間レールに摺動自在となした移動側レールと、固定側レールの後端部に設けられた収納時保持部材からなるスライドレールの収納時保持装置において、固定側レールは、収納側端部に移動側レール方向に突出する固定側収納時ストッパーを有し、収納時保持材は固定側収納時ストッパーの移動側に位置して、固定側レールに嵌合する上下の嵌合取付部と、固定側レールから移動側レール方向に突出し、上下の嵌合取付部に連設された上下の閉塞部と、上下の閉塞部の移動側レール側端部に連設された移動側レールの後端部を保持する上下の収納時保持部と、上下の収納保持部間に連設された弾性変形部と、弾性変形部と所定間隔を有し、前記上下の嵌合取付部間に連設された弾性取付基板を有することを特徴とするスライドレールの収納時保持装置。
【発明の詳細な説明】
【０００１】
【発明の属する技術分野】
本発明は、電気ポット、電気炊飯器等の台所用電気器具が載置された載置棚を前後方向に摺動自在に支持するスライドレールに設けられるスライドレールの収納時保持装置に関するものである。
【０００２】
【従来の技術】
従来、家具等の移動時あるいは家具が傾いていたりすると載置棚が不用意に飛び出すことがあった。これを防止するため、スライドレールの移動側レール基板の収納側端部に固定側レール方向に突出し、上下方向に所定寸法を有する移動側移動時ストッパーを形成し、この移動側移動時ストッパーを固定側レールの収納側端部に設けた収納時保持部材に保持するものが提供されている。
そして、この収納時保持部材は、移動側レールの方向でかつ移動側に突出し、移動側方向で順次大きく離間する上下傾斜案内突片と、上下案内突片の収納側に連設され、最も近接する個所の端面が円弧状をなし、その離間寸法が、前記移動側移動時ストッパーの上下方向の寸法より小さめに形成された上下係止突部と、該上下係止突部の収納側に連設され、前記移動側移動時ストッパーの上下方向の寸法よりやや小さめに形成された上下挟持段部と、上下挟持段部の収納側に連設された上下弾性支持突片よりなる上下弾性保持部と、上下弾性保持部に連設された取付部より構成されている。（例えば特許文献１参照。）
【０００３】
そして、載置棚を引き出した時、載置棚の後端から電気ポット、電気炊飯器等の電気器具の電気コードが、左右の固定側レール間に垂れ下がった状態となり、この状態から載置棚を収納しようとすると、上記収納時保持部材が固定側レールから移動側レール方向に突出し、さらに、上下弾性保持部が固定側レールとの間に間隙を有して、先端が爪状となって、移動側方向に突出しているので、垂れ下がったコードが固定側レールと上下弾性保持部間に入り込んだり、あるいは上下弾性保持部に絡み付き、載置棚の収納をスムーズに行う事が出来なかったり、あるいは、絡まったコードを外す際、指先を傷付けたりたりすることがあった。
【０００４】
【特許文献１】
特開２００１−３７５６５号公報
【発明が解決しようとする課題】
本発明は、上記欠点を解決する事を課題とし、簡単な構造で生産性に優れ、確実に載置棚の収納状態を維持すると共に、載置棚の収納動作が安全かつ容易に行えるスライドレールの収納時保持装置を提供する事を目的とする。
【０００５】
【課題を解決する為の手段】
上記課題を解決する為、本発明が手段とする第１の特徴は、固定側レールと、固定側レールに摺動自在となした中間レールと、中間レールに摺動自在となした移動側レールと、固定側レールの後端部に設けられた収納時保持部材からなるスライドレールの収納時保持装置において、収納時保持部材は、固定側レールに取付けられた状態で、固定側レールから移動側レール方向に突出する上下の閉塞部と、上下の閉塞部の移動側レール側端部に連設された移動側レールの後端部を保持する上下の収納時保持部と、上下の収納時保持部間に連設された弾性変形部を有するものである。
【０００６】
次に、本発明が手段とする第２の特徴は、固定側レールと、固定側レールに摺動自在となした中間レールと、中間レールに摺動自在となした移動側レールと、固定側レールの後端部に設けられた収納時保持部材からなるスライドレールの収納時保持装置において、固定側レールは、収納側端部に移動側レール方向に突出する固定側収納時ストッパーを有し、収納時保持材は固定側収納時ストッパーの移動側に位置して、固定側レールに嵌合する上下の嵌合取付部と、固定側レールから移動側レール方向に突出し、上下の嵌合取付部に連設された上下の閉塞部と、上下の閉塞部の移動側レール側端部に連設された移動側レールの後端部を保持する上下の収納時保持部と、上下の収納保持部間に連設された弾性変形部と、弾性変形部と所定間隔を有し、前記上下の嵌合取付部間に連設された弾性取付基板を有するものである。
【０００７】
【実施例】
以下、添付図面に基づいて実施例を説明する。
図１、図３において、符号１は固定側レールを示し、符号２は移動側レールを示し、符号３は中間レールを示し、符号４は固定側レール１のボール保持板を示し、符号６は、移動側レール２のボール保持板を示し、符号５は、収納時保持部材を示している。そして、図５において右側方向を収納側、左側方向を移動側として説明する。
【０００８】
固定側レール１は、金属製の細長条板の短手両端部を内向き円弧状に折り曲げた内面長手方向にボール案内溝を有する上下の両折曲縁１１、１１と、家具等の本体側と連結される固定側レール基板１２より断面略Ｃ字形に形成されている。
そして、固定側レール基板１２の収納側端部を移動側レール２方向に折り曲げて固定側収納時ストッパー１３を形成し、固定側収納時ストッパー１３の内側に移動側レール２の方向に突出する収納時保持部材５が取付られ、固定側レール基板１２の移動側端部を移動側レール２方向に折り曲げて固定側移動時ストッパー（図示せず。）が形成されている。
【０００９】
中間レール３は、上記固定側レール１に挿入可能な大きさで固定側レール１よりやや短い長さの固定側基板３１と、固定側基板３１の上下端部を外向き円弧状に折り曲げた上下の両折曲縁３２、３２よりなる断面略Ｃ字形の固定側中間レール３０と、上記移動側レール２に挿入可能な大きさで固定側レール１よりやや短い長さの移動側基板３１１と、移動側基板３１１の上下端部を内向き円弧状に折り曲げた上下の両折曲縁３２２、３２２よりなる断面略Ｃ字形の移動側中間レール３００を、固定側基板３１の後端部が移動側基板３１１の後端部より収納側に突出するようずらせて背中合わせに固着してほぼＩ字形に構成されている。
【００１０】
そして、中間レール３の固定側基板３１の収納側端部に、固定側レール１側に突出し、スライドレールの伸長時、ボール保持板４の収納側端面に後記する緩衝部材を介して当接し、スライドレールの短縮時、固定側収納時ストッパー１３の内面に後記する緩衝部材を介して当接するボール保持条板収納時ストッパー３３と、中間レール３の移動側基板３１１の移動側端部に、移動側レール２側に突出し、スライドレールの引き出し時、移動側２のボール保持板６の移動側端面が緩衝部材を介して当接するボール保持板引き出し時ストッパー（図示せず。）が形成されている。
符号３４はボール保持条板収納時ストッパー３３にもうけられたゴム製の緩衝部材を示している。
【００１１】
ボール保持板４、６は対向した同形で、帯条金属板にて固定側レール１、移動側レール２及び、中間レール３との間に挿入可能な大きさで、かつ、両レール１、２の半分以下の長さで  、基板４１、６１と上下の折曲片４２、４２、６２、６２からなり、基板４１、６１は中央部をコ字形に折り曲げ、そして、上下の両折曲片４２、４２、６２、６２の摺動方向の数箇所に複数個のボール４０・・・を回転自在に保持している。
【００１２】
収納時保持部材５は、固定側レール１の上下の折曲縁１１、１１内面に嵌合する上下の嵌合取付部５１、５１と、上下の嵌合取付部５１、５１間に連設され、固定側レール基板１２の内面に当接する弾性取付基板５２と、上下の嵌合取付部５１、５１の内側に連設された上下の中間レール嵌合突部５３、５３と、上下の嵌合取付部５１、５１の収納側端部に外側に突出して形成された上下の移動防止突部５４、５４と、固定側レール１から移動側レール２方向に突出し上下の嵌合取付部５１、５１に連設された上下の閉塞部５５、５５と、上下の閉塞部５５、５５の移動側レール側端部に連設された上下の収納時保持部５６、５６と、上下の収納時保持部５６、５６間に連設された弾性取付基板５２と、弾性取付基板５２と所定間隔を有して上下の収納時保持部５６、５６間に連設された弾性変形部５７が合成樹脂材にて一体に形成されている。
【００１３】
そして、弾性取付基板５２と弾性変形部５７間および、上下の収納時保持部５６、５６間、上下の中間レール嵌合突部５３、５３間にて、前記中間レール３の固定側中間レール３０の後端部が挿通する中間レール挿通部５０が形成されている。
上下の収納時保持部５６、５６は、移動側前端部に、前端部から収納側に向かって上向きに傾斜する案内傾斜部５６１、５６１と移動側レール２側の角部を大きな曲線で処理した案内曲線部５６３、５６３を有し、収納側端部に収納側に向かって下方に大きく傾斜する保持用段部５６２、５６２を有している。
弾性変形部５７は、上下方向で中央部側に向かっての厚みを順次薄く形成して弾性力を付与し、移動側レール２が収納される時ブレーキ効果を発揮するよう弾性変形部５７の移動側端部に半円形の切欠部５７１を形成している。
【００１４】
収納時保持部材５は、上位の如く構成され、固定側収納時ストッパー１３の上下端部と上下の折曲縁１２、１２の収納側端部の隙間に上下の嵌合取付部５１、５１と上下の移動防止突部５４、５４の連設部分を当接し、同時に、上下の嵌合取付部５１、５１を上下の折曲縁１２、１２の端部に当接させた状態から、弾性変形部５７、弾性取付基板５２を弾性変形させながら、固定側レール１内に強制的に押し込み、上下の嵌合取付部５１、５１を上下の折曲縁１２、１２内（ボール摺動溝内）に嵌合すると同時に、上下の移動防止突部５４、５４を上下の折曲縁１２、１２の収納側端面に当接させて取り付られる。
この状態で、上下の嵌合取付部５１、５１と上下の折曲縁１２、１２の嵌合、及び、上下の移動防止突部５４、５４と上下の折曲縁１２、１２の収納側端面との当接、弾性取付基板５２の収納側端面と固定側収納時ストッパー１３の移動側端面との当接によって、収納時保持部材５は不測に固定側レールから脱落することがない。
【００１５】
移動側レール２は、固定側レール１と対向した同形同長に形成され、金属製の細長条板の短手両端部を内向き円弧状に折り曲げて形成された内面長手方向にボール案内溝を有する上下の両折曲縁２１、２１と、連結金具等（図示せず。）を介して載置棚と連結される移動側レール基板２２より、断面略Ｃ字形に形成されている。
【００１６】
そして、移動側レール基板２２の移動側端部を固定側レール１方向に折り曲げて形成された移動側収納時ストッパー２３と、移動側レール基板２２の収納側端部を固定側レール１方向に折り曲げて形成された移動側移動時ストッパー２４を有している。
符号２５、２５は、上下の両折曲縁２１、２１の収納側端部に形成され、移動側レール２の収納時、収納時保持部材５の上下の収納時保持部５６、５６を内側に変移させた後、保持用段部５６２、５６２に位置して、移動側レール２の不用意な移動側方向への移動を防止する保持用凹部を示している。
符号２６は移動側移動時ストッパー２４にもうけられたゴム製の緩衝部材を示している。
【００１７】
本発明は、上記の如く構成されており、スライドレールの最大伸長状態で、移動側レール２の移動側移動時ストッパー２４が緩衝部材２６を介して、ボール保持板６の収納側端面に当接し、ボール保持板６の移動側端面は中間レール３（移動側中間レール３００）のボール保持板引き出し時ストッパーに緩衝部材を介して当接し、中間レール３（固定側中間レール３０）のボール保持条板収納時ストッパー３３は、ボール持板４の収納側端面に緩衝部材３４を介して当接し、ボール保持板４の移動側端面は固定側レール１の固定側移動時ストッパーに当接している。
【００１８】
次に上記の状態から、移動側レール２を収納側に移動させると、ボール保持板６は移動側レール２の移動距離の２分の１の移動距離で収納側に移動し、移動側レール２の移動側収納時ストッパー２３が中間レール３（移動側中間レール３００）のボール保持板引き出し時ストッパーに緩衝部材を介して当接する。
次に移動側レール２と中間レール３は共に、収納側方向に移動し、ボール保持板４は、中間レール３の移動距離の２分の１移動距離で、収納側に移動し、やがて、固定側中間レール３０の収納側端部が収納時保持部材５の中間レール挿通部５０を挿通して、ボール保持板収納時ストッパー３３が、固定側レール１の固定側収納時ストッパー１３に緩衝部材３４を介して当接し、同時に移動側レール２の保持用凹部２５、２５は、収納時保持部材５の保持用段部５６２、５６２に位置し、移動側レール２、中間レール３は収納時保持部材５に保持され、スライドレールは最短収縮状態が維持される。
【００１９】
すなわち、移動側レール２の保持用凹部２５、２５が、収納保持部５６、５６の案内傾斜部５６１、５６１に達した状態（図５に示す状態）で、その衝突時の衝撃は弾性変形部５７の切欠部５７１によって緩和され、さらに、収納側に移動するとき、弾性変形部５７の切欠部５７１によって、弾性変形部５７の移動側は容易く弾性変形するので、収納保持部５６、５６の移動側も互いに内側に容易く変移し、保持用凹部２５、２５の案内傾斜部５６１、５６１部分での通過を容易なものにすると共に、移動側レール２の摺動スピードにブレーキ効果をもたらす。
【００２０】
さらに、保持用凹部２５、２５が収納方向に移動すると、収納保持部５６、５６は弾性変形部５７によって、互いに内側に変移し、保持用凹部２５、２５が保持用段部５６２、５６２に達した時、収納保持部５６、５６は弾性変形部５７の弾性によってもとの位置に復帰し、保持用凹部２５、２５を保持する。（図６に示す状態。）
この状態で、弾性変形部５７の収納側端部には切欠部が形成されていないので、保持用凹部２５、２５が収納保持部５６、５６の移動側端部を通過する以上の摺動力を必要とし、移動側レール３は収納時保持部材に確実に保持される。
又、挿通孔５０によって、中間レール３の長さは収納時保持部材５の摺動方向の大きさに影響されることがないので、収納時保持部材５を設けても、移動側レール２の摺動距離が少なくなることがない。
【００２１】
【発明の効果】
特許請求の範囲の請求項１に記載の発明によれば、収納時保持部材は、固定側レールから移動側レール方向に突出する上下の閉塞部と、上下の収納時保持部間に連設された弾性変形部によって、固定側レール及び上下の収納時保持部間に隙間が発生しないので、垂れ下がったコードが固定側レールと移動側レール間に入り込んだり、収納時保持部に絡み付き、載置棚の収納を疎外することがない。
【００２２】
請求項２に記載の発明によれば、前記効果に加え、固定側レールに嵌合する上下の嵌合取付部と、上下の嵌合取付部間に連設された弾性取付基板を有しているので、収納時保持部材の固定側レールに対する取付けが容易である。
【図面の簡単な説明】
【図１】スライドレールの斜視図
【図２】収納時保持部材の斜視図
【図３】図１のＡ−Ａ線拡大断面図
【図４】図１のＢーＢ線拡大断面図
【図５】移動側レールの収納途中の要部断面図
【図６】移動側レールが完全に収納された状態の要部断面図
【図７】図２のＣ−Ｃ線断面図
【符号の説明】
１              固定側レール
１２            固定側レール基板
１３            固定側収納時ストッパー
２              移動側レール
２２            移動側レール基板
２４            移動側移動時ストッパー
３              中間レール
５              収納時保持部材
５０            中間レール挿通部
５１            嵌合取付部
５２            弾性取付基板
５３            中間レール嵌合突部
５５            閉塞部
５６            収納時保持部
５７            弾性変形部
【図１】
2004147755.tif 000003
【図２】
2004147755.tif 000004
【図３】
2004147755.tif 000005
【図４】
2004147755.tif 000006
【図５】
2004147755.tif 000007
【図６】
2004147755.tif 000008
【図７】
2004147755.tif 000009